(57)【特許請求の範囲】
【請求項１】
制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルであって、前記建築物の建物部材としての躯体に関する構造情報を少なくとも含むＢＩＭモデルを記憶するＢＩＭモデル記憶手段、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、を備え、前記画面表示手段により表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むことを特徴とするＢＩＭシステム。
【請求項２】
前記端末装置の前記制御部は、前記画面表示手段により表示された前記レイアウト画面上で前記ＢＩＭパーツの動作をシミュレーションする動作解析手段、を更に備えたことを特徴とする請求項１に記載のＢＩＭシステム。
【請求項３】
前記端末装置の前記記憶部は、前記ＢＩＭモデル内で移動可能なヒトオブジェクトに関するオブジェクト情報を記憶するオブジェクト情報記憶手段、を更に備え、前記動作解析手段は、前記オブジェクト情報記憶手段に記憶された前記オブジェクト情報に基づいて前記ヒトオブジェクトを前記統合ＢＩＭモデル内で移動させながら、前記ＢＩＭパーツの動作をシミュレーションすることを特徴とする請求項２に記載のＢＩＭシステム。
【請求項４】
前記端末装置の前記制御部は、前記オブジェクト情報記憶手段に記憶された前記オブジェクト情報に基づいて、前記統合ＢＩＭモデル内で移動する前記ヒトオブジェクトの移動経路を生成する移動経路生成手段を更に備え、前記画面生成手段は、前記移動経路生成手段により生成された前記移動経路を更に含む前記レイアウト画面を生成することを特徴とする請求項３に記載のＢＩＭシステム。
【請求項５】
前記端末装置の前記制御部は、前記ＢＩＭモデル記憶手段に記憶された前記ＢＩＭモデル、および、前記情報提供手段により前記サーバ装置から送信される前記ＢＩＭパーツに基づいて、前記統合ＢＩＭモデル内の設置位置まで前記ＢＩＭパーツを搬入するための搬入経路を生成する搬入経路生成手段を更に備え、前記画面生成手段は、前記搬入経路生成手段により生成された前記搬入経路を更に含む前記レイアウト画面を生成することを特徴とする請求項１から４のうちいずれか一項に記載のＢＩＭシステム。
【請求項６】
前記端末装置の前記制御部は、前記画面表示手段により表示された前記レイアウト画面上で前記ＢＩＭパーツを変更する変更手段と、を更に備え、前記画面生成手段は、前記変更手段により変更された前記ＢＩＭパーツを含む前記レイアウト画面を生成することを特徴とする請求項１から５のうちいずれか一項に記載のＢＩＭシステム。
【請求項７】
前記端末装置の前記制御部は、前記統合モデリング手段が前記統合ＢＩＭモデルを作成できない場合、エラー情報を出力するエラー出力手段、を更に備えたことを特徴とする請求項１から６のうちいずれか一項に記載のＢＩＭシステム。
【請求項８】
制御部と記憶部とを少なくとも備えたサーバ装置、および、制御部と表示部とを少なくとも備えた端末装置、を通信可能に接続したＢＩＭシステムであって、前記記憶部は、建築物のＢＩＭモデルであって、前記建築物の建物部材としての躯体に関する構造情報を少なくとも含むＢＩＭモデルを記憶するＢＩＭモデル記憶手段と、前記ＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段と、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを前記端末装置へ送信する情報提供手段と、を備え、前記端末装置の前記制御部は、前記情報提供手段により前記サーバ装置から送信された前記統合ＢＩＭモデルを含むレイアウト画面を生成する画面生成手段と、前記画面生成手段により生成された前記レイアウト画面を前記表示部に表示させる画面表示手段と、を備え、前記画面表示手段により表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むことを特徴とするＢＩＭシステム。
【請求項９】
制御部と記憶部と表示部を少なくとも備えたＢＩＭシステムであって、前記記憶部は、建築物のＢＩＭモデルであって、前記建築物の建物部材としての躯体に関する構造情報を少なくとも含むＢＩＭモデルを記憶するＢＩＭモデル記憶手段と、前記ＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、を備え、前記画面表示手段により表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むことを特徴とするＢＩＭシステム。
【請求項１０】
制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段、を備え、前記端末装置の前記記憶部は、前記ＢＩＭモデルであって、前記建築物の建物部材としての躯体に関する構造情報を少なくとも含むＢＩＭモデルを記憶するＢＩＭモデル記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ統合ＢＩＭモデルを作成する統合モデリングステップと、前記端末装置の前記制御部において実行される、前記統合モデリングステップにて作成された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、を含み、前記画面表示ステップにて表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むことを特徴とする方法。
【請求項１１】
制御部と記憶部とを少なくとも備えたサーバ装置、および、制御部と表示部とを少なくとも備えた端末装置、を通信可能に接続したＢＩＭシステムにおいて実行される方法であって、前記記憶部は、建築物のＢＩＭモデルであって、前記建築物の建物部材としての躯体に関する構造情報を少なくとも含むＢＩＭモデルを記憶するＢＩＭモデル記憶手段と、前記ＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段と、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記サーバ装置の前記制御部において実行される、前記統合モデリングステップにて作成された前記統合ＢＩＭモデルを前記端末装置へ送信する情報提供ステップと、前記端末装置の前記制御部において実行される、前記情報提供ステップにて前記サーバ装置から送信された前記統合ＢＩＭモデルを含むレイアウト画面を生成する画面生成ステップと、前記端末装置の前記制御部において実行される、前記画面生成ステップにて生成された前記レイアウト画面を前記表示部に表示させる画面表示ステップと、を含み、前記画面表示ステップにて表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むことを特徴とする方法。
【請求項１２】
制御部と記憶部と表示部を少なくとも備えたＢＩＭシステムにおいて実行される方法であって、前記記憶部は、建築物のＢＩＭモデルであって、前記建築物の建物部材としての躯体に関する構造情報を少なくとも含むＢＩＭモデルを記憶するＢＩＭモデル記憶手段と、前記ＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、を含み、前記画面表示ステップにて表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むことを特徴とする方法。
【請求項１３】
制御部と記憶部と表示部を少なくとも備えたＢＩＭシステムに実行させるためのプログラムであって、前記記憶部は、建築物のＢＩＭモデルであって、前記建築物の建物部材としての躯体に関する構造情報を少なくとも含むＢＩＭモデルを記憶するＢＩＭモデル記憶手段と、前記ＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ統合ＢＩＭモデルを作成する統合モデリングステップと、前記統合モデリングステップにて作成された前記統合ＢＩＭモデルを含むレイアウト画面を生成する画面生成ステップと、前記画面生成ステップにて生成された前記レイアウト画面を前記表示部に表示させる画面表示ステップと、を実行させ、前記画面表示ステップにて表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含むこと特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、建築物に昇降機を組み込んだ状態を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部とを少なくとも備えたサーバ装置、および、制御部と記憶部と表示部とを少なくとも備えた端末装置、を通信可能に接続したＢＩＭシステムである。前記サーバ装置の前記記憶部は、建築物のＢＩＭモデルに組込可能なエスカレータのＢＩＭパーツを作成するためのパーツ情報であって、当該エスカレータを前記建築物に設置する際に必要とされるスペース、寸法、各種付属設備に関する情報、及び、当該エスカレータを構成する必要部材の寸法に関する情報を少なくとも含むパーツ情報を記憶するパーツ情報記憶手段、を備える。前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備える。前記端末装置の前記記憶部は、前記ＢＩＭモデルであって、前記建築物の建物部材としての躯体に関する構造情報を少なくとも含むＢＩＭモデルを記憶するＢＩＭモデル記憶手段、を備える。前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、を備え、前記画面表示手段により表示された前記レイアウト画面は、利用者が前記エスカレータと前記建築物の躯体との取り合いを立体的に確認可能なように、前記建築物における前記エスカレータの設置状態を示す前記統合ＢＩＭモデルの一部を含む画面であり、前記エスカレータと前記建築物の躯体との取り合いとは、エスカレータ側面と建築物の躯体との取り合い、エスカレータの架設部と建築物の鉄骨との取り合い、安全対策用品として設置されたエスカレータ手前の手摺の高さ、エスカレータ側に取り付けられた手摺と建築物の躯体側に取付けられた手摺との取り合い、及び、壁の仕上げ材とエスカレータの外装パネルとの取り合い、のうち少なくとも１つを含む。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、第１の実施形態における処理の一例を示すフローチャートである。
【図４】図４は、昇降機のＢＩＭパーツの一例を示す図である。
【図５】図５は、ＢＩＭモデルにＢＩＭパーツを組み込んだ統合ＢＩＭモデルの一例を示す図である。
【図６】図６は、レイアウト画面の一例を示す図である。
【図７】図７は、レイアウト画面の一例を示す図である。
【図８】図８は、レイアウト画面の一例を示す図である。
【図９】図９は、レイアウト画面の一例を示す図である。
【図１０】図１０は、レイアウト画面の一例を示す図である。
【図１１】図１１は、レイアウト画面の一例を示す図である。
【図１２】図１２は、建築物の設計図書の一例を示す図である。
【図１３】図１３は、図１２に対応するレイアウト画面の一例を示す図である。
【図１４】図１４は、図１３の一部に対応するレイアウト画面の一例を示す図である。
【図１５】図１５は、図１３の一部に対応するレイアウト画面の一例を示す図である。
【図１６】図１６は、図１３の一部に対応するレイアウト画面の一例を示す図である。
【図１７】図１７は、第２の実施形態におけるＢＩＭシステムの構成の一例を示すブロック図である。
【図１８】図１８は、第２の実施形態におけるＢＩＭシステムの処理の一例を示すフローチャートである。
【図１９】図１９は、第３の実施形態におけるＢＩＭシステムの構成の一例を示すブロック図である。
【図２０】図２０は、第３の実施形態におけるＢＩＭシステムの処理の一例を示すフローチャートである。
【発明を実施するための形態】
【０００７】
以下に、実施形態にかかるＢＩＭシステム、サーバ装置、端末装置、方法、および、プログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（機能分散型））、第２の実施形態（ＢＩＭシステム（サーバ主導型））、第３の実施形態（ＢＩＭシステム（スタンドアロン型））の順にて詳細に説明する。
【００１０】
［第１の実施形態］
最初に、第１の実施形態について、図２乃至図１６を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデルに組込可能な昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、これに限定されない。
【００１６】
より具体的には、本実施形態において、パーツ情報は、後述の制御部１０２の処理によりＢＩＭパーツの動作を解析する際に用いられるＢＩＭパーツの動作パラメータを含む。ここで、動作パラメータは、昇降機の動作速度、動作パターン等を規定するパラメータである。また、パーツ情報は、後述の制御部１０２の処理によりＢＩＭパーツの搬入経路を生成する際に用いられるＢＩＭパーツのサイズ情報を含む。ここで、ＢＩＭパーツのサイズ情報は、ＢＩＭパーツを構成する各ユニットのサイズ情報も含む。ＢＩＭパーツを構成する各ユニットとしては、例えば、本実施形態のように昇降機がエスカレータである場合には、トラス、踏段、踏段チェーン、移動手摺、乗降板、欄干、駆動装置、機械室、制御盤、電源設備、各種配管・配線等が挙げられる。また、ＢＩＭパーツを構成する各ユニットとしては、例えば、昇降機がエレベータである場合には、昇降路、乗りかご、カウンタウェイト、メインロープ、巻上機、ガイドレール、乗り場ホール関連品、機械室、制御盤、電源設備、各種配管・配線等が挙げられる。また、パーツ情報は、後述の制御部１０２の処理よりＢＩＭパーツを変更する際に用いられる設定パラメータを含む。ここで、設定パラメータは、ＢＩＭパーツを構成する各ユニットのサイズ、色、材質等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００１８】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件にはこの他、希望の価格、納期等を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。ここで、昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する情報提供手段である。
【００２１】
［端末装置１００の構成］
また、図２において、端末装置１００は、サーバ装置２００から送信された昇降機のＢＩＭパーツを、記憶部１０６に記憶された建築物のＢＩＭモデルに組み込んだ統合ＢＩＭモデルを作成し、作成された統合ＢＩＭモデルを含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、表示部１１４、音声出力部１１６、および、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００２４】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ、オブジェクト情報データベース１０６ｂ等）を格納してもよい。ここで、記憶部１０６は、各種のファイル等を一時的に記憶するものであってもよい。
【００２５】
また、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数等の構造情報が含まれるが、これに限定されない。本実施形態において、後述の制御部１０２により昇降機のＢＩＭパーツを設置する設置位置までの搬入経路を生成する際、上述の構造情報が参照される。
【００２６】
オブジェクト情報データベース１０６ｂは、建築物のＢＩＭモデル内で移動可能なヒトオブジェクトに関するオブジェクト情報を記憶するオブジェクト情報記憶手段である。オブジェクト情報は、所定条件に従って移動可能なヒトを模した３次元モデルを定義する情報である。オブジェクト情報は、ヒトを模した３次元モデルを構築するための形状データの他、各ヒトオブジェクトについて出発地と目的地と少なくとも含む移動条件を含む。ここで、移動条件は、経由地、移動手段（例えば、階段利用、昇降機（エレベータ、乗客コンベア（エスカレータまたは動く歩道を含む）利用等）、出発時刻、経由時刻、到着時刻、および、移動速度のうち少なくとも１つを含んでいてもよい。また、オブジェクト情報は、ＢＩＭモデルデータベース１０６ａに記憶された建築物のＢＩＭモデル内の経路網を規定するネットワークデータとしてＢＩＭモデル内ネットワークデータを更に含む。ＢＩＭモデル内ネットワークデータは、例えば、建築物内の店舗、会社、事務所、およびトイレ等の出入口、エレベータおよびエスカレータの乗降口、階段の出入口等の、通路等を接続する結節点であるノードのノードデータと、ノード間を接続する通路、階段、動く歩道、エスカレータ、および、エレベータ等であるリンクのリンクデータとの組み合わせによって表現されるネットワークデータである。
【００２７】
また、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、統合モデリング部１０２ｂ、画面生成部１０２ｃ、画面表示部１０２ｄ、動作解析部１０２ｅ、移動経路生成部１０２ｆ、搬入経路生成部１０２ｇ、変更部１０２ｈ、および、エラー出力部１０２ｉを備える。
【００２８】
このうち、作成条件送信部１０２ａは、利用者により入力される作成条件をサーバ装置２００へ送信する作成条件送信手段である。ここで、作成条件は、利用者が所望する昇降機の仕様を示す条件である。上述のように作成条件には希望の価格、納期等を含めてもよい。つまり、作成条件は、建築物のＢＩＭモデルに組込可能な昇降機のＢＩＭパーツを作成するための条件を指定する。また、作成条件は、利用者により入力部１１８を介して入力されたものであってもよいし、予め作成条件が記憶された外部記憶装置（図示せず）から読み込まれたものであってもよい。
【００２９】
また、統合モデリング部１０２ｂは、サーバ装置２００から送信された昇降機のＢＩＭパーツを、ＢＩＭモデルデータベース１０６ａに記憶された建築物のＢＩＭモデルに組み込んだ統合ＢＩＭモデルを作成する統合モデリング手段である。ここで、統合モデリング部１０２ｂは、作成した統合ＢＩＭモデルを記憶部１０６に格納して、統合ＢＩＭモデルデータベース（図示せず）を構築してもよい。
【００３０】
また、画面生成部１０２ｃは、統合モデリング部１０２ｂにより作成された統合ＢＩＭモデルを含むレイアウト画面を生成する画面生成手段である。ここで、画面生成部１０２ｃは、後述の移動経路生成部１０２ｆにより生成された移動経路を更に含むレイアウト画面を生成してもよい。また、画面生成部１０２ｃは、後述の搬入経路生成部１０２ｇにより生成された搬入経路を更に含むレイアウト画面を生成してもよい。また、画面生成部１０２ｃは、後述の変更部１０２ｈにより変更された昇降機のＢＩＭパーツを含むレイアウト画面を生成してもよい。
【００３１】
また、画面表示部１０２ｄは、画面生成部１０２ｃにより生成されたレイアウト画面を表示部１１４に表示させる画面表示手段である。
【００３２】
また、動作解析部１０２ｅは、画面表示部１０２ｄにより表示されたレイアウト画面上で昇降機のＢＩＭパーツの動作をシミュレーションする動作解析手段である。具体的には、動作解析部１０２ｅは、昇降機のＢＩＭパーツに含まれるパーツ情報が示すＢＩＭパーツの動作パラメータに基づいて昇降機のＢＩＭパーツの動作をシミュレーションする。ここで、動作パラメータは、昇降機の動作速度、動作パターン等を規定するパラメータである。また、動作解析部１０２ｅは、オブジェクト情報データベース１０６ｂに記憶されたオブジェクト情報に基づいてヒトオブジェクトを統合ＢＩＭモデル内で移動させながら、昇降機のＢＩＭパーツの動作をシミュレーションしてもよい。この場合、動作解析部１０２ｅは、後述の移動経路生成部１０２ｆにより生成された移動経路上でヒトオブジェクトを移動させながら、昇降機のＢＩＭパーツの動作をシミュレーションする。また、動作解析部１０２ｅは、利用者に入力される移動条件に応じて、ヒトオブジェクトの数、移動速度、および利用移動経路のうち少なくとも１つを変更してもよい。
【００３３】
また、移動経路生成部１０２ｆは、オブジェクト情報データベース１０６ｂに記憶されたオブジェクト情報に基づいて、統合ＢＩＭモデル内で移動するヒトオブジェクトの移動経路を生成する移動経路生成手段である。具体的には、移動経路生成部１０２ｆは、オブジェクト情報に含まれる移動条件およびＢＩＭモデル内ネットワークデータを用いて、各ヒトオブジェクトの出発地と目的地と少なくとも含む移動条件を満たす出発地から目的地までの移動経路を生成する。ここで、移動条件は、経由地、移動手段（例えば、階段利用、昇降機（エレベータ、乗客コンベア（エスカレータまたは動く歩道を含む）利用等）、出発時刻、経由時刻、到着時刻、および、移動速度のうち少なくとも１つを含んでいてもよい。移動条件は、利用者により入力部１１８を介して入力されたものであってもよいし、予め移動条件が記憶された外部記憶装置（図示せず）から読み込まれたものであってもよい。
【００３４】
また、搬入経路生成部１０２ｇは、ＢＩＭモデルデータベース１０６ａに記憶された建築物のＢＩＭモデル、および、サーバ装置２００から送信された昇降機のＢＩＭパーツに基づいて、統合ＢＩＭモデル内の設置位置まで昇降機のＢＩＭパーツを搬入するための搬入経路を生成する搬入経路生成手段である。具体的には、搬入経路生成部１０２ｇは、建築物のＢＩＭモデルに含まれる建築物の構造情報、および、昇降機のＢＩＭパーツに含まれるパーツ情報が示す昇降機のＢＩＭパーツのサイズ情報に基づいて、昇降機のＢＩＭパーツを設置する設置位置までの搬入経路を生成する。ここで、昇降機のＢＩＭパーツのサイズ情報は、当該昇降機のＢＩＭパーツを構成する各ユニットのサイズ情報を含む。搬入経路生成部１０２ｇは、昇降機のＢＩＭパーツを構成する各ユニットのサイズ情報に基づいて、昇降機のＢＩＭパーツを設置する設置位置までの搬入経路を、ユニットごとに生成してもよい。搬入経路を生成する方法はこれに限定されないが、搬入経路生成部１０２ｇは、例えば、構造情報が規定する建築物の空間において、サイズ情報が規定する各ユニットのサイズが干渉しない状態で当該ユニットが通過可能な最短距離を搬入経路として生成する。また、例えば、ユニット単位では干渉しない搬入経路が特定できない場合、搬入経路生成部１０２ｇは、当該ユニットをさらに細かい部品単位に分解した状態で搬入経路を生成するようにしてもよい。
【００３５】
また、変更部１０２ｈは、画面表示部１０２ｄにより表示されたレイアウト画面上でＢＩＭパーツを変更する変更手段である。具体的には、変更部１０２ｈは、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【００３６】
また、エラー出力部１０２ｉは、統合モデリング部１０２ｂが統合ＢＩＭモデルを作成できない場合、エラー情報を出力するエラー出力手段である。具体的には、エラー出力部１０２ｉは、統合モデリング部１０２ｂが昇降機のＢＩＭパーツを設置するＢＩＭモデル内の設置位置にて当該昇降機のＢＩＭパーツを組み込めない場合、当該状況を利用者に通知するエラー情報を出力する。本実施形態において、統合モデリング部１０２ｂが統合ＢＩＭモデルを作成できない場合とは、ＢＩＭパーツをＢＩＭモデル内の設置位置に組み込めない場合に加え、ＢＩＭパーツをＢＩＭモデル内の設置位置に組み込めたものの、意図した設置状態でない場合も含む。ここで、エラー情報は、文字データであってもよいし、音声データであってもよい。更に、エラー出力部１０２ｉは、統合モデリング部１０２ｂがどのような条件であればＢＩＭモデル内の設置位置にて昇降機のＢＩＭパーツを組み込めるかを示すガイド情報をエラー情報として出力してもよい。ガイド情報は、昇降機のＢＩＭパーツの仕様を示す情報であってもよい。
【００３７】
以上で、第１の実施形態におけるＢＩＭシステムの構成の一例の説明を終える。
【００３８】
［第１の実施形態におけるＢＩＭシステムの処理］
次に、このように構成された第１の実施形態におけるＢＩＭシステムの処理の一例について、以下に図３乃至図１６を参照して詳細に説明する。図３は、第１の実施形態におけるＢＩＭシステムの処理の一例を示すフローチャートである。
【００３９】
図３に示すように、端末装置１００の作成条件送信部１０２ａは、利用者により入力される作成条件をサーバ装置２００へ送信する（ステップＳＡ−１）。
【００４０】
そして、サーバ装置２００の作成条件受信部２０２ａは、ステップＳＡ−１にて作成条件送信部１０２ａの処理により送信される作成条件を受信する（ステップＳＡ−２）。
【００４１】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。例えば、昇降機モデリング部２０２ｂは、図４に示すようなエスカレータのＢＩＭパーツを作成する。ここで、図４は、昇降機のＢＩＭパーツの一例を示す図である。図４では、機種別に作成された３台のエスカレータのＢＩＭパーツが示されている。ここで、ステップＳＡ−３において、昇降機モデリング部２０２ｂは、作成条件を満たす複数の昇降機のＢＩＭパーツを作成してもよい。
【００４２】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００４３】
そして、端末装置１００の制御部１０２は、ステップＳＡ−４にて情報提供部２０２ｃの処理により送信された昇降機のＢＩＭパーツを受信する（ステップＳＡ−５）。
【００４４】
そして、端末装置１００の統合モデリング部１０２ｂは、ステップＳＡ−５にて制御部１０２の処理により受信された単数または複数の昇降機のＢＩＭパーツを、ＢＩＭモデルデータベース１０６ａに記憶された建築物のＢＩＭモデルに組み込んだ統合ＢＩＭモデルを作成する（ステップＳＡ−６）。例えば、統合モデリング部１０２ｂは、図５に示すようなエスカレータのＢＩＭパーツを建築物のＢＩＭモデルの組み込んだ統合ＢＩＭモデルを作成する。ここで、図５は、ＢＩＭモデルにＢＩＭパーツを組み込んだ統合ＢＩＭモデルの一例を示す図である。図５では、建築物の完成時におけるエスカレータの設置状態を示す統合ＢＩＭモデルの一部が示されている。ここで、ステップＳＡ−６において、統合モデリング部１０２ｂは、複数の昇降機のＢＩＭパーツから、作成条件に合致する順位にて建築物のＢＩＭモデルに組み込んだ複数の統合ＢＩＭモデルを作成してもよい。また、ステップＳＡ−６において、エラー出力部１０２ｉは、統合モデリング部１０２ｂが統合ＢＩＭモデルを作成できない場合、例えば図７に例示するようにエラー情報を出力する。その後、作成条件を変更するためにステップＳＡ−１の処理に戻り、本処理を繰り返してもよい。
【００４５】
そして、画面生成部１０２ｃは、ステップＳＡ−６にて統合モデリング部１０２ｂの処理により作成された統合ＢＩＭモデルを含むレイアウト画面を生成する（ステップＳＡ−７）。ここで、ステップＳＡ−７において、移動経路生成部１０２ｆは、オブジェクト情報データベース１０６ｂに記憶されたオブジェクト情報に基づいて、例えば図１４〜図１６に例示するように統合ＢＩＭモデル内で移動するヒトオブジェクトの移動経路を生成してもよい。この場合、画面生成部１０２ｃは、移動経路生成部１０２ｆの処理により生成された移動経路を更に含むレイアウト画面を生成する。また、ステップＳＡ−７において、搬入経路生成部１０２ｇは、ＢＩＭモデルデータベース１０６ａに記憶された建築物のＢＩＭモデル、および、ステップＳＡ−５にて制御部１０２の処理により受信された昇降機のＢＩＭパーツに基づいて、例えば図１３に例示するように統合ＢＩＭモデル内の設置位置まで昇降機のＢＩＭパーツを搬入するための搬入経路を生成してもよい。この場合、画面生成部１０２ｃは、搬入経路生成部１０２ｇの処理により生成された搬入経路を更に含むレイアウト画面を生成する。
【００４６】
そして、画面表示部１０２ｄは、ステップＳＡ−７にて画面生成部１０２ｃの処理により生成されたレイアウト画面を表示部１１４に表示させる（ステップＳＡ−８）。例えば、画面表示部１０２ｄは、以下に説明する図６〜図１１、図１３〜図１６に示すようなレイアウト画面を表示部１１４に表示させる。
【００４７】
ここで、図６〜１１、図１３〜図１６を参照して、ステップＳＡ−８にて画面表示部１０２ｄの処理により表示されたレイアウト画面にて利用者がエスカレータと建築物との取り合いを立体的に確認する例について説明する。
【００４８】
まず、図６および図７が示す一例について説明する。図６が示すレイアウト画面において、利用者は、エスカレータ側面と建築物の躯体との取り合い（すなわち、隙間）を確認することができる（図６の（ａ）参照）。また、図７が示すレイアウト画面において、利用者は、エスカレータの架設部と建築物の鉄骨との取り合いを確認することができる（図７の（ｂ）参照）。更に図７が示すレイアウト画面上には、エスカレータの架設部と建築物の鉄骨との取り合いに干渉があることを通知するエラー情報が表示されている。このように、画面表示部１０２ｄが三次元の建築躯体データ上にエスカレータを配置した状態の図６および図７のレイアウト画面を表示するので、利用者は、梁や柱との干渉確認やトラス架設方法の詳細検討や、隙間処理の検討、安全対策の検討、法定寸法の確認を行うことができる。その結果、利用者は、トラス架設計画段階において立体的に関連業種との問題点の早期に発見することができるので、事前にこれらの問題点を解決することが可能になる。
【００４９】
次に、図８および図９が示す一例について説明する。図８が示すレイアウト画面において、利用者は、安全対策用品として設置されたエスカレータ手前の手摺の高さを確認し（図８の（ｃ）参照）、エスカレータと自動運転装置までの必要寸法を確認し（図８の（ｄ）参照）、床の仕上げ材とエスカレータとの取り合いを確認することができる（図８の（ｅ）参照）。また、図９が示すレイアウト画面において、利用者は、エスカレータ側に取付けられた手摺と建築物の躯体側に取付けられた手摺との取り合いを確認し（図９の（ｆ）参照）、壁の仕上げ材とエスカレータの外装パネルとの取り合いを確認することができる（図９の（ｇ）参照）。このように、画面表示部１０２ｄが表示する図８および図９のレイアウト画面により、エスカレータ架設後において、エスカレータと手摺との取合い確認や外装仕上げ済みの建築物とエスカレータの外装パネルとの取り合いの確認が可能となる。したがって、利用者は、エスカレータの設置状態について、関連業者間での詳細に検討および確認を立体的に行うことができるので、その結果、施工段階での取合い不備の発生を防止することができる。更に、利用者は、建物の仕上げ設計において、取合い確認不足による再製作時の無駄なコストを抑制できる。
【００５０】
続いて、図１０および図１１が示す一例について説明する。図１０が示すレイアウト画面において、利用者は、エスカレータのリニューアルに際し、既存エスカレータと新設エスカレータ間で、エレベータの手摺の段差を確認することができる（図１０の（ｈ）参照）。また、図１１に示すレイアウト画面において、利用者は、改修後のイメージを確認することができる。図１１において、（ｉ）が示す２台のエレベータは既存機であり、（ｊ）が示す２台のエレベータ新設機である。このように、画面表示部１０２ｄが表示する図１０および図１１のレイアウト画面により、建物の改修時における既存エスカレータと新設エスカレータとの違いや改修後のイメージの提案が可能となる。したがって、利用者は改修計画のより詳細な立案を行うことができる。
【００５１】
なお、ステップＳＡ−８にて画面表示部１０２ｄの処理によりレイアウト画面を表示した後、変更部１０２ｈは、画面表示部１０２ｄの処理により表示されたレイアウト画面上でＢＩＭパーツを変更してもよい。この場合、図示しないが、上述のステップＳＡ−７の処理に戻り、画面生成部１０２ｃは、変更部１０２ｈの処理により変更された昇降機のＢＩＭパーツを含むレイアウト画面を生成し、その後、ステップＳＡ−８の処理へ進む。
【００５２】
再び図３に戻り、動作解析部１０２ｅは、ステップＳＡ−８にて画面表示部１０２ｄの処理により表示されたレイアウト画面上で昇降機のＢＩＭパーツの動作をシミュレーションする（ステップＳＡ−９）。ここで、ステップＳＡ−９において、動作解析部１０２ｅは、以下に説明する図１３〜図１６に示すように、オブジェクト情報データベース１０６ｂに記憶されたオブジェクト情報に基づいてヒトオブジェクトを統合ＢＩＭモデル内で移動させながら、エスカレータのＢＩＭパーツの動作をシミュレーションしてもよい。
【００５３】
ここで、図１２〜図１６を参照して、動作解析部１０２ｅによるシミュレーションの一例について説明する。ここで、図１２は、建築物の設計図書の一例を示す図である。図１３は、図１２に対応するレイアウト画面の一例を示す図である。図１４〜図１６は、図１３の一部に対応するレイアウト画面の一例を示す図である。
【００５４】
以下の例では、上述のステップＳＡ−６において統合モデリング部１０２ｂの処理により、図１２の建築物の設計図書に対応する図１３の統合ＢＩＭモデルが作成された場合を想定している。ここで、図１３が示すレイアウト画面上の（１）〜（３）地点の付近にはヒトオブジェクトが配置されている。更に図１３が示すレイアウト画面上には、エレベータのＢＩＭパーツを設置する設置位置までの搬入経路が表示されている。図１３に示した状態において、動作解析部１０２ｅは、オブジェクト情報データベース１０６ｂに記憶されたオブジェクト情報に基づいてヒトオブジェクトを統合ＢＩＭモデル内で移動させながら、昇降機のＢＩＭパーツの動作をシミュレーションする。例えば、図１３に示された（１）〜（３）の各地点にそれぞれ対応する図１４〜図１６に示すように、動作解析部１０２ｅは、移動経路生成部１０２ｆにより生成された移動経路上でヒトオブジェクトを移動させながら、昇降機（図１４〜図１６において、エスカレータ）のＢＩＭパーツの動作をシミュレーションする。ここで、動作解析部１０２ｅは、利用者に入力される移動条件に応じて、ヒトオブジェクトの数、移動速度、および利用移動経路のうち少なくとも１つを変更してもよい。このように、動作解析部１０２ｅは、建物竣工後における利用者の誘導導線や利用環境を可視化するので、利用者は、所定の条件に合わせてエスカレータの運転方向の検証および提案を行うことができる。
【００５５】
以上で、第１の実施形態におけるＢＩＭシステムの処理の一例の説明を終える。
【００５６】
［第２の実施形態］
続いて、第２の実施形態について、図１７および図１８を参照して以下に説明する。ここで、図１７は、第２の実施形態におけるＢＩＭシステムの構成の一例を示すブロック図であり、該構成のうち本実施形態に関係する部分を概念的に示している。
【００５７】
なお、第２の実施形態においては、サーバ装置２００側で統合ＢＩＭモデルを作成し、当該統合ＢＩＭモデルを端末装置１００へ送信している。このように、第２の実施形態は、サーバ装置２００にてサーバ主導で処理を行う点が、その他の実施形態と異なる。
【００５８】
［第２の実施形態におけるＢＩＭシステムの構成］
まず、第２の実施形態におけるＢＩＭシステムの構成の一例について、図１７を参照して以下に説明する。
【００５９】
図１７に示すように、第２の実施形態のサーバ装置２００は、出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００６０】
図１７において、サーバ装置２００は、端末装置１００から送信される作成条件に対応する昇降機のＢＩＭパーツを、記憶部２０６に記憶されたパーツ情報を用いて作成し、作成された昇降機のＢＩＭパーツを、記憶部２０６に記憶された建築物のＢＩＭモデルに組み込んだ統合ＢＩＭモデルを作成し、作成された統合ＢＩＭモデルを端末装置１００へ送信することにより、端末装置１００において、当該統合ＢＩＭモデルを含むレイアウト画面を表示部１１４に表示させる等の機能を有する。
【００６１】
なお、サーバ装置２００における通信制御インターフェース部２０４および記憶部２０６（パーツ情報データベース２０６ａ、ＢＩＭモデルデータベース２０６ｂ、および、オブジェクト情報データベース２０６ｃ等）の機能、また、端末装置１００における表示部１１４、音声出力部１１６、および、入力部１１８の機能は、第１の実施形態と同様であるため説明を省略する。
【００６２】
また、図１７において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、情報提供部２０２ｃ、統合モデリング部２０２ｄ、移動経路生成部２０２ｅ、搬入経路生成部２０２ｆ、および、エラー出力部２０２ｇを備える。なお、作成条件受信部２０２ａおよび昇降機モデリング部２０２ｂの機能は、第１の実施形態と同様であるため説明を省略する。以下、説明を簡単にするため、統合モデリング部２０２ｄ〜エラー出力部２０２ｇを先に説明し、情報提供部２０２ｃを最後に説明する。
【００６３】
このうち、統合モデリング部２０２ｄは、昇降機モデリング部２０２ｂにより作成された昇降機のＢＩＭパーツを、ＢＩＭモデルデータベース２０６ｂに記憶された建築物のＢＩＭモデルに組み込んだ統合ＢＩＭモデルを作成する統合モデリング手段である。ここで、統合モデリング部２０２ｄは、作成した統合ＢＩＭモデルを記憶部２０６に格納して、統合ＢＩＭモデルデータベース（図示せず）を構築してもよい。
【００６４】
また、移動経路生成部２０２ｅは、オブジェクト情報データベース２０６ｃに記憶されたオブジェクト情報に基づいて、統合ＢＩＭモデル内で移動するヒトオブジェクトの移動経路を生成する移動経路生成手段である。具体的には、移動経路生成部２０２ｅは、オブジェクト情報に含まれる移動条件およびＢＩＭモデル内ネットワークデータを用いて、端末装置１００から入力された各ヒトオブジェクトの出発地と目的地と少なくとも含む移動条件、を満たす出発地から目的地までの移動経路を生成する。ここで、移動条件は、経由地、移動手段（例えば、階段利用、昇降機（エレベータ、乗客コンベア（エスカレータまたは動く歩道を含む）利用等）、出発時刻、経由時刻、到着時刻、および、移動速度のうち少なくとも１つを含んでいてもよい。また、移動条件は、利用者により入力部１１８を介して入力されたものであってもよいし、予め移動条件が記憶された外部記憶装置（図示せず）から読み込まれたものであってもよい。
【００６５】
また、搬入経路生成部２０２ｆは、ＢＩＭモデルデータベース２０６ｂに記憶された建築物のＢＩＭモデル、および、昇降機モデリング部２０２ｂにより作成された昇降機のＢＩＭパーツに基づいて、統合ＢＩＭモデル内の設置位置まで昇降機のＢＩＭパーツを搬入するための搬入経路を生成する搬入経路生成手段である。具体的には、搬入経路生成部２０２ｆは、建築物のＢＩＭモデルに含まれる建築物の構造情報、および、昇降機のＢＩＭパーツに含まれるパーツ情報が示す昇降機のＢＩＭパーツのサイズ情報に基づいて、昇降機のＢＩＭパーツを設置するＢＩＭモデル内の設置位置までの搬入経路を生成する。ここで、昇降機のＢＩＭパーツのサイズ情報は、当該昇降機のＢＩＭパーツを構成する各ユニットのサイズ情報を含む。搬入経路生成部２０２ｆは、昇降機のＢＩＭパーツを構成する各ユニットのサイズ情報に基づいて、昇降機のＢＩＭパーツを設置するＢＩＭモデル内の設置位置までの搬入経路を、ユニットごとに生成してもよい。
【００６６】
また、エラー出力部２０２ｇは、統合モデリング部２０２ｄが統合ＢＩＭモデルを作成できない場合、エラー情報を端末装置１００へ送信することで出力するエラー出力手段である。具体的には、エラー出力部２０２ｇは、統合モデリング部２０２ｄが昇降機のＢＩＭパーツを設置するＢＩＭモデル内の設置位置にて当該昇降機のＢＩＭパーツを組み込めない場合、当該状況を利用者に通知するエラー情報を端末装置１００へ送信することで出力する。エラー情報は、文字データであってもよいし、音声データであってもよい。更に、エラー出力部２０２ｇは、統合モデリング部２０２ｄがどのような条件であればＢＩＭモデル内の設置位置にて昇降機のＢＩＭパーツを組み込めるかを示すガイド情報をエラー情報として出力してもよい。ガイド情報は、昇降機のＢＩＭパーツの仕様を示す情報であってもよい。
【００６７】
また、情報提供部２０２ｃは、統合モデリング部２０２ｄにより作成された統合ＢＩＭモデルを端末装置１００へ送信する情報提供手段である。ここで、情報提供部２０２ｃは、移動経路生成部２０２により作成された移動経路、および、搬入経路生成部２０２ｆにより作成された搬入経路のうち少なくとも１つを、統合ＢＩＭモデルとともに送信してもよい。ここで、統合ＢＩＭモデルはヒトオブジェクトを含む。
【００６８】
なお、図１７において、端末装置１００の制御部１０２は、図示しないが第１の実施形態と同様に、画面生成手段、画面表示手段、変更手段、動作解析手段を備えている。第２の実施形態では、端末装置１００が備える画面生成手段がサーバ装置２００から受信した統合ＢＩＭモデルを含むレイアウト画面を生成する点を除き、各手段の機能は第１の実施形態と同様であるため説明を省略する。
【００６９】
以上で、第２の実施形態におけるＢＩＭシステムの構成の一例の説明を終える。
【００７０】
［第２の実施形態におけるＢＩＭシステムの処理］
次に、このように構成された第２の実施形態におけるＢＩＭシステムの処理の一例について、以下に図１８を参照して詳細に説明する。図１８は、第２の実施形態におけるＢＩＭシステムの処理の一例を示すフローチャートである。
【００７１】
図１８に示すように、まず、端末装置１００の制御部１０２は、利用者により入力される作成条件をサーバ装置２００へ送信する（ステップＳＢ−１）。
【００７２】
そして、サーバ装置２００の作成条件受信部２０２ａは、ステップＳＢ−１にて制御部１０２の処理により送信される作成条件を受信する（ステップＳＢ−２）。
【００７３】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。例えば、昇降機モデリング部２０２ｂは、上述の図４に示すようなエスカレータのＢＩＭパーツを作成する。ここで、ステップＳＢ−３において、昇降機モデリング部２０２ｂは、作成条件を満たす複数の昇降機のＢＩＭパーツを作成してもよい。
【００７４】
そして、サーバ装置２００の統合モデリング部２０２ｄは、ステップＳＢ−３にて昇降機モデリング部２０２ｂの処理により作成された昇降機のＢＩＭパーツを、ＢＩＭモデルデータベース２０６ｂに記憶された建築物のＢＩＭモデルに組み込んだ統合ＢＩＭモデルを作成する（ステップＳＢ−４）。例えば、統合モデリング部２０２ｄは、上述の図５に示すようなエスカレータのＢＩＭパーツを建築物のＢＩＭモデルの組み込んだ統合ＢＩＭモデルを作成する。ここで、ステップＳＢ−４において、移動経路生成部２０２ｅは、オブジェクト情報データベース２０６ｃに記憶されたオブジェクト情報に基づいて、上述の図１４〜図１６に示すような統合ＢＩＭモデル内で移動するヒトオブジェクトの移動経路を生成してもよい。また、ステップＳＢ−４において、搬入経路生成部２０２ｆは、ＢＩＭモデルデータベース２０６ｂに記憶された建築物のＢＩＭモデル、および、ステップＳＢ−３にて昇降機モデリング部２０２ｂの処理により作成された昇降機のＢＩＭパーツに基づいて、上述の図１３に示すような統合ＢＩＭモデル内の設置位置まで昇降機のＢＩＭパーツを搬入するための搬入経路を生成してもよい。また、ステップＳＢ−４において、統合モデリング部２０２ｄは、複数の昇降機のＢＩＭパーツから、作成条件に合致する順位にて建築物のＢＩＭモデルに組み込んだ複数の統合ＢＩＭモデルを作成してもよい。また、ステップＳＢ−４において、エラー出力部２０２ｇは、統合モデリング部２０２ｄが統合ＢＩＭモデルを作成できない場合、エラー情報を端末装置１００へ送信することで出力する。
【００７５】
そして、サーバ装置２００の情報提供部２０２ｃは、ステップＳＢ−４にて統合モデリング部２０２ｄの処理により作成された統合ＢＩＭモデルを端末装置１００へ送信する（ステップＳＢ−５）。ここで、ステップＳＢ−５において、情報提供部２０２ｃは、ステップＳＢ−４にて移動経路生成部２０２ｅの処理により作成された移動経路、および、ステップＳＢ−４にて搬入経路生成部２０２ｆの処理により作成された搬入経路のうち少なくとも１つを、統合ＢＩＭモデルとともに送信する。
【００７６】
そして、端末装置１００の制御部１０２は、ステップＳＢ−５にて情報提供部２０２ｃの処理によりサーバ装置２００から送信された統合ＢＩＭモデルを受信する（ステップＳＢ−６）。ここで、ステップＳＢ−６において、制御部１０２は、ステップＳＢ−５にて情報提供部２０２ｃの処理によりサーバ装置２００から送信された移動経路および搬入経路を受信する。
【００７７】
そして、端末装置１００の制御部１０２は、ステップＳＢ−６にて制御部１０２の処理により受信された統合ＢＩＭモデルを含むレイアウト画面を生成する（ステップＳＢ−７）。ここで、ステップＳＢ−７において、制御部１０２は、ステップＳＢ−６にて制御部１０２の処理により受信された移動経路を更に含むレイアウト画面を生成する。また、ステップＳＢ−７において、制御部１０２は、ステップＳＢ−６にて制御部１０２の処理により受信された搬入経路を更に含むレイアウト画面を生成する。
【００７８】
そして、端末装置１００の制御部１０２は、ステップＳＢ−７にて制御部１０２の処理により生成されたレイアウト画面を表示部１１４に表示させる（ステップＳＢ−８）。例えば、制御部１０２は、上述の図６〜図１１、図１３〜図１６に示すようなレイアウト画面を表示部１１４に表示させる。
【００７９】
そして、端末装置１００の制御部１０２は、ステップＳＢ−８にて制御部１０２の処理により表示されたレイアウト画面上で昇降機のＢＩＭパーツの動作をシミュレーションする（ステップＳＢ−９）。ここで、ステップＳＢ−９において、制御部１０２は、上述の図１３〜図１６に示すように、統合ＢＩＭモデル内の含まれるヒトオブジェクトを統合ＢＩＭモデル内で移動させながら、エスカレータのＢＩＭパーツの動作をシミュレーションしてもよい。
【００８０】
以上で、第２の実施形態におけるＢＩＭシステムの処理の一例の説明を終える。
【００８１】
［第３の実施形態］
続いて、第３の実施形態について、図１９および図２０を参照して以下に説明する。ここで、図１９は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【００８２】
なお、第３の実施形態においては、全ての機能をＢＩＭ装置４００に集約し、当該ＢＩＭ装置４００は、利用者により入力される作成条件に対応するＢＩＭパーツを記憶部４０６に記憶されたパーツ情報を用いて作成し、作成されたＢＩＭパーツを記憶部４０６に記憶されたＢＩＭモデルに組み込んだ統合ＢＩＭモデルを作成し、作成された統合ＢＩＭモデルを含むレイアウト画面を生成し、生成されたレイアウト画面を表示部４１４に表示させる等の機能を有する。このように、第３の実施形態は、ＢＩＭ装置４００がスタンドアロン型に構成され単独で処理を行う点がその他の実施形態と異なる。
【００８３】
［第３の実施形態におけるＢＩＭシステムの構成］
まず、第３の実施形態におけるＢＩＭシステムの構成の一例について、図１９を参照して以下に説明する。
【００８４】
図１９に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【００８５】
図１９において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、および、オブジェクト情報データベース４０６ｃ等）についても、サーバ装置２００ではなくＢＩＭ装置４００に備えられている点を除き、各機能が第１の実施形態と同様であるため説明を省略する。
【００８６】
また、制御部４０２の各部については、本実施形態のＢＩＭ装置４００がスタンドアロン型であり、制御部４０２が各送信部を備えていない点を除き、各機能は第１の実施形態と基本的に同様である。
【００８７】
また、図１９において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、画面生成部４０２ｄ、画面表示部４０２ｅ、動作解析部４０２ｆ、移動経路生成部４０２ｇ、搬入経路生成部４０２ｈ、変更部４０２ｉ、および、エラー出力部４０２ｊを備える。
【００８８】
このうち、作成条件設定部４０２ａは、利用者により入力される作成条件を設定する作成条件設定手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。また、作成条件は、利用者により入力部４１８を介して入力されたものであってもよいし、予め作成条件が記憶された外部記憶装置（図示せず）から読み込まれたものであってもよい。
【００８９】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。ここで、昇降機モデリング部４０２ｂは、作成した昇降機のＢＩＭパーツを記憶部４０６に格納して、ＢＩＭパーツデータベース（図示せず）を構築してもよい。
【００９０】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ統合ＢＩＭモデルを作成する統合モデリング手段である。ここで、統合モデリング部４０２ｃは、作成した統合ＢＩＭモデルを記憶部４０６に格納して、統合ＢＩＭモデルデータベース（図示せず）を構築してもよい。
【００９１】
また、画面生成部４０２ｄは、統合モデリング部４０２ｃにより作成された統合ＢＩＭモデルを含むレイアウト画面を生成する画面生成手段である。ここで、画面生成部４０２ｄは、後述の移動経路生成部４０２ｇにより生成された移動経路を更に含むレイアウト画面を生成してもよい。また、画面生成部４０２ｄは、後述の搬入経路生成部４０２ｈにより生成された搬入経路を更に含むレイアウト画面を生成してもよい。また、画面生成部４０２ｄは、後述の変更部４０２ｉにより変更された昇降機のＢＩＭパーツを含むレイアウト画面を生成してもよい。
【００９２】
また、画面表示部４０２ｅは、画面生成部４０２ｄにより生成されたレイアウト画面を表示部４１４に表示させる画面表示手段である。
【００９３】
また、動作解析部４０２ｆは、画面表示部４０２ｅにより表示されたレイアウト画面上で昇降機のＢＩＭパーツの動作をシミュレーションする動作解析手段である。具体的には、動作解析部４０２ｆは、昇降機のＢＩＭパーツに含まれるパーツ情報が示すＢＩＭパーツの動作パラメータに基づいて昇降機のＢＩＭパーツの動作をシミュレーションする。ここで、動作解析部４０２ｆは、オブジェクト情報データベース４０６ｃに記憶されたオブジェクト情報に基づいてヒトオブジェクトを統合ＢＩＭモデル内で移動させながら、昇降機のＢＩＭパーツの動作をシミュレーションしてもよい。この場合、動作解析部４０２ｆは、後述の移動経路生成部４０２ｇにより生成された移動経路上でヒトオブジェクトを移動させながら、昇降機のＢＩＭパーツの動作をシミュレーションする。また、動作解析部４０２ｆは、利用者に入力される移動条件に応じて、ヒトオブジェクトの数、移動速度、および利用移動経路のうち少なくとも１つを変更してもよい。
【００９４】
また、移動経路生成部４０２ｇは、オブジェクト情報データベース４０６ｃに記憶されたオブジェクト情報に基づいて、統合ＢＩＭモデル内で移動するヒトオブジェクトの移動経路を生成する移動経路生成手段である。具体的には、移動経路生成部４０２ｇは、オブジェクト情報に含まれる移動条件およびＢＩＭモデル内ネットワークデータを用いて、各ヒトオブジェクトの出発地と目的地と少なくとも含む移動条件を満たす出発地から目的地までの移動経路を生成する。ここで、移動条件は、経由地、移動手段（例えば、階段利用、昇降機（エレベータ、乗客コンベア（エスカレータまたは動く歩道を含む）利用等）、出発時刻、経由時刻、到着時刻、および、移動速度のうち少なくとも１つを含んでいてもよい。移動条件は、利用者により入力部４１８を介して入力されたものであってもよいし、予め移動条件が記憶された外部記憶装置（図示せず）から読み込まれたものであってもよい。
【００９５】
また、搬入経路生成部４０２ｈは、ＢＩＭモデルデータベース４０６ｂに記憶された建築物のＢＩＭモデル、および、昇降機モデリング部４０２ｂにより作成された昇降機のＢＩＭパーツに基づいて、統合ＢＩＭモデル内の設置位置まで昇降機のＢＩＭパーツを搬入するための搬入経路を生成する搬入経路生成手段である。具体的には、搬入経路生成部４０２ｈは、建築物のＢＩＭモデルに含まれる建築物の構造情報、および、昇降機のＢＩＭパーツに含まれるパーツ情報が示す昇降機のＢＩＭパーツのサイズ情報に基づいて、昇降機のＢＩＭパーツを設置する設置位置までの搬入経路を生成する。ここで、昇降機のＢＩＭパーツのサイズ情報は、当該昇降機のＢＩＭパーツを構成する各ユニットのサイズ情報を含む。搬入経路生成部４０２ｈは、昇降機のＢＩＭパーツを構成する各ユニットのサイズ情報に基づいて、昇降機のＢＩＭパーツを設置する設置位置までの搬入経路を、ユニットごとに生成してもよい。
【００９６】
また、変更部４０２ｉは、画面表示部４０２ｅにより表示されたレイアウト画面上でＢＩＭパーツを変更する変更手段である。具体的には、変更部４０２ｉは、利用者により入力される変更条件に応じてＢＩＭパーツに含まれるパーツ情報の設定パラメータを変更することで、当該ＢＩＭパーツを変更する。設定パラメータは、ＢＩＭパーツを構成する各ユニットのサイズ、色、材質等を規定するパラメータを含む。
【００９７】
また、エラー出力部４０２ｊは、統合モデリング部４０２ｃが統合ＢＩＭモデルを作成できない場合、エラー情報を出力するエラー出力手段である。具体的には、エラー出力部４０２ｊは、統合モデリング部４０２ｃが昇降機のＢＩＭパーツを設置するＢＩＭモデル内の設置位置にて当該昇降機のＢＩＭパーツを組み込めない場合、当該状況を利用者に通知するエラー情報を出力する。エラー情報は、文字データであってもよいし、音声データであってもよい。更に、エラー出力部４０２ｊは、統合モデリング部４０２ｃがどのような条件であればＢＩＭモデル内の設置位置にて昇降機のＢＩＭパーツを組み込めるかを示すガイド情報をエラー情報として出力してもよい。ガイド情報は、昇降機のＢＩＭパーツの仕様を示す情報であってもよい。
【００９８】
以上で、第３の実施形態におけるＢＩＭシステムの構成の一例の説明を終える。
【００９９】
［第３の実施形態におけるＢＩＭシステムの処理］
次に、このように構成された第３の実施形態におけるＢＩＭシステムの処理の一例について、以下に図２０を参照して詳細に説明する。図２０は、第３の実施形態におけるＢＩＭシステムの処理の一例を示すフローチャートである。
【０１００】
図２０に示すように、まず、作成条件設定部４０２ａは、利用者により入力される作成条件を設定する（ステップＳＣ−１）。
【０１０１】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。例えば、昇降機モデリング部４０２ｂは、上述の図４に示すようなエスカレータのＢＩＭパーツを作成する。ここで、ステップＳＣ−２において、昇降機モデリング部４０２ｂは、作成条件を満たす複数の昇降機のＢＩＭパーツを作成してもよい。
【０１０２】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ統合ＢＩＭモデルを作成する（ステップＳＣ−３）。例えば、統合モデリング部４０２ｃは、上述の図５に示すようなエスカレータのＢＩＭパーツを建築物のＢＩＭモデルの組み込んだ統合ＢＩＭモデルを作成する。ここで、ステップＳＣ−３において統合モデリング部４０２ｃは、複数の昇降機のＢＩＭパーツから、作成条件に合致する順位にて建築物のＢＩＭモデルに組み込んだ複数の統合ＢＩＭモデルを作成してもよい。また、ステップＳＣ−３において、エラー出力部４０２ｊは、統合モデリング部４０２ｃが統合ＢＩＭモデルを作成できない場合、上述の図７で例示したようにエラー情報を出力する。その後、作成条件を変更するためにステップＳＣ−１の処理に戻り、本処理を繰り返してもよい。
【０１０３】
そして、画面生成部４０２ｄは、ステップＳＣ−３にて統合モデリング部４０２ｃの処理により作成された統合ＢＩＭモデルを含むレイアウト画面を生成する（ステップＳＣ−４）。ここで、ステップＳＣ−４において、移動経路生成部４０２ｇは、オブジェクト情報データベース４０６ｃに記憶されたオブジェクト情報に基づいて、上述の図１４〜図１６に示すような統合ＢＩＭモデル内で移動するヒトオブジェクトの移動経路を生成してもよい。この場合、画面生成部４０２ｄは、移動経路生成部４０２ｇの処理により生成された移動経路を更に含むレイアウト画面を生成する。また、ステップＳＣ−４において、搬入経路生成部４０２ｈは、ＢＩＭモデルデータベース４０６ｂに記憶された建築物のＢＩＭモデル、および、ステップＳＣ−２にて昇降機モデリング部４０２ｂの処理により作成された昇降機のＢＩＭパーツに基づいて、上述の図１３に示すような統合ＢＩＭモデル内の設置位置まで昇降機のＢＩＭパーツを搬入するための搬入経路を生成してもよい。この場合、画面生成部４０２ｄは、搬入経路生成部４０２ｈの処理により生成された搬入経路を更に含むレイアウト画面を生成する。
【０１０４】
そして、画面表示部４０２ｅは、ステップＳＣ−４にて画面生成部４０２ｄの処理により生成されたレイアウト画面を表示部４１４に表示させる（ステップＳＣ−５）。例えば、画面表示部４０２ｅは、上述の図６〜図１１、図１３〜図１６に示すようなレイアウト画面を表示部４１４に表示させる。
【０１０５】
なお、ステップＳＣ−５にて画面表示部４０２ｅの処理によりレイアウト画面を表示した後、変更部４０２ｉは、画面表示部４０２ｄの処理により表示されたレイアウト画面上でＢＩＭパーツを変更してもよい。この場合、図示しないが、上述のステップＳＣ−４の処理に戻り、画面生成部４０２ｄは、変更部４０２ｉの処理により変更された昇降機のＢＩＭパーツを含むレイアウト画面を生成し、その後、ステップＳＣ−６の処理へ進む。
【０１０６】
そして、動作解析部４０２ｆは、ステップＳＣ−５にて画面表示部４０２ｅの処理により表示されたレイアウト画面上で昇降機のＢＩＭパーツの動作をシミュレーションする（ステップＳＣ−６）。ここで、ステップＳＣ−６において、動作解析部４０２ｆは、上述の図１３〜図１６に示すように、オブジェクト情報データベース４０６ｃに記憶されたオブジェクト情報に基づいてヒトオブジェクトを統合ＢＩＭモデル内で移動させながら、エスカレータのＢＩＭパーツの動作をシミュレーションしてもよい。
【０１０７】
以上で、第３の実施形態におけるＢＩＭシステムの処理の一例の説明を終える。
【０１０８】
このように、上述した第１〜第３の実施形態によれば、利用者により入力される作成条件に対応するＢＩＭパーツをパーツ情報を用いて作成し、作成されたＢＩＭパーツをＢＩＭモデルに組み込んだ統合ＢＩＭモデルを作成し、作成された統合ＢＩＭモデルを含むレイアウト画面を生成し、生成されたレイアウト画面を表示させるので、利用者は、昇降機の設備計画を提案する際、建築物に昇降機を組み込んだ状態を視覚的に分かりやすく表示することができる。また、利用者は、昇降機を設置する建築物の設計段階から施工、竣工後、改修時等の全体を通したシミュレーションを行うことができる。これにより、利用者は、昇降機を設置する建築物の設計において、全体的な管理および確認を行えるので、客先の要望をより良く反映した提案が容易となる。その結果、本実施形態によれば、利用者は、打合せ時間を短縮でき、不具合発生率を低減でき、更に、再製作時等のコストを抑制することができる。
【０１０９】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１０】
例えば、上述の実施形態では、昇降機としてエスカレータを例について説明したが、エレベータ、動く歩道等の乗客コンベアについても同様に本発明を適用できる。
【０１１１】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１２】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１１３】
また、端末装置１００、サーバ装置２００、および、ＢＩＭ装置４００に関して、図示の各構成要素は機能概念的なものであり、必ずしも物理的に図示の如く構成されていることを要しない。
【０１１４】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１１５】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１１６】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１１７】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１１８】
記憶部１０６、記憶部２０６、および、記憶部４０６に格納される各種のデータベース等（ＢＩＭモデルデータベース１０６ａ、オブジェクト情報データベース１０６ｂ、パーツ情報データベース２０６ａ、ＢＩＭモデルデータベース２０６ｂ、オブジェクト情報データベース２０６ｃ、パーツ情報データベース４０６ａ、ＢＩＭモデルデータベース４０６ｂ、および、オブジェクト情報データベース４０６ｃ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１１９】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１２０】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１２１】
以上で説明した実施形態、変形例に係るＢＩＭシステム、サーバ装置、端末装置、ＢＩＭ装置、方法及びプログラムによれば、昇降機の設備計画を提案する際、建築物に昇降機を組み込んだ状態を視覚的に分かりやすく表示することができる。
【符号の説明】
【０１２２】
１００  端末装置
１０２  制御部
１０２ａ  作成条件送信部
１０２ｂ  統合モデリング部
１０２ｃ  画面生成部
１０２ｄ  画面表示部
１０２ｅ  動作解析部
１０２ｆ  移動経路生成部
１０２ｇ  搬入経路生成部
１０２ｈ  変更部
１０２ｉ  エラー出力部
１０４  通信制御インターフェース部
１０６  記憶部
１０６ａ  ＢＩＭモデルデータベース
１０６ｂ  オブジェクト情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  移動経路生成部
２０２ｆ  搬入経路生成部
２０２ｇ  エラー出力部
２０４  通信制御インターフェース部
２０６  記憶部
２０６ａ  パーツ情報データベース
２０６ｂ  ＢＩＭモデルデータベース
２０６ｃ  オブジェクト情報データベース
３００  ネットワーク
４００  ＢＩＭ装置
４０２  制御部
４０２ａ  作成条件設定部
４０２ｂ  昇降機モデリング部
４０２ｃ  統合モデリング部
４０２ｄ  画面生成部
４０２ｅ  画面表示部
４０２ｆ  動作解析部
４０２ｇ  移動経路生成部
４０２ｈ  搬入経路生成部
４０２ｉ  変更部
４０２ｊ  エラー出力部
４０６  記憶部
４０６ａ  パーツ情報データベース
４０６ｂ  ＢＩＭモデルデータベース
４０６ｃ  オブジェクト情報データベース
４０８  入出力制御インターフェース部
４１４  表示部
４１６  音声出力部
４１８  入力部
【図１】
0005623466.tif 000002
【図２】
0005623466.tif 000003
【図３】
0005623466.tif 000004
【図４】
0005623466.tif 000005
【図５】
0005623466.tif 000006
【図６】
0005623466.tif 000007
【図７】
0005623466.tif 000008
【図８】
0005623466.tif 000009
【図９】
0005623466.tif 000010
【図１０】
0005623466.tif 000011
【図１１】
0005623466.tif 000012
【図１２】
0005623466.tif 000013
【図１３】
0005623466.tif 000014
【図１４】
0005623466.tif 000015
【図１５】
0005623466.tif 000016
【図１６】
0005623466.tif 000017
【図１７】
0005623466.tif 000018
【図１８】
0005623466.tif 000019
【図１９】
0005623466.tif 000020
【図２０】
0005623466.tif 000021